(57)【要約】【課題】光源から出た光を効率よく照明方向へ導く構造を提供すること。【解決手段】基板１上に配置された第1のLED光源２Ａと、前記第1のLED光源２Ａより射出された光を受光し照明方向４へ導く第1の導光体３Ａと、前記第1のLED光源より射出された光で第1の導光体に受光されずに反射された光を前記基板裏面方向へ通過させる、前記基板１に設けられた光通過孔１１と、前記光通過孔１１を通過した光を前記照明方向４へ導く第2の導光体３Ｂを備えた。【選択図】図１
2011108434.tif 000002
【特許請求の範囲】
【請求項１】
基板上に配置された第1のLED光源と、
前記第1のLED光源より射出された光を受光し照明方向へ導く第1の導光体と、
前記第1のLED光源より射出された光で第1の導光体に受光されずに反射された光を前記基
板裏面方向へ通過させる、前記基板に設けられた光通過孔と、
前記光通過孔を通過した光を前記照明方向へ導く第2の導光体と、
を備えたことを特徴とする照明装置。
【請求項２】
請求項１に記載の照明装置において、
前記基板の裏面側に第2のLED光源を配置し、前記光通過孔が前記第2の光源から出た光
を前記基板の表面側へ通過させる
ことを特徴とする照明装置。
【請求項３】
基板上に配置された第1のLED光源と、
前記第1のLED光源より射出された光を受光し照明方向へ導く第1の導光体と、
前記第1のLED光源より射出された光で第1の導光体に受光されずに反射された光を前記基
板裏面方向へ通過させる、前記基板に設けられた光通過孔と、
前記光通過孔を通過した光を前記第1の導光体の方向へ導く第2の導光体と、
を備えたことを特徴とする照明装置。
【発明の詳細な説明】
【技術分野】
【０００１】
本発明は、照明装置の技術分野に属する。
【背景技術】
【０００２】
従来では、基板上にＬＥＤ光源を配置し、光源からの光を導光体で受けて、照明したい
方向へ導いている（例えば、特許文献１参照）。
【先行技術文献】
【特許文献】
【０００３】
【特許文献１】特開２００９−９９２６号公報
【特許文献２】特開平７−１１３６６３号公報
【発明の概要】
【発明が解決しようとする課題】
【０００４】
しかしながら、特許文献１では、光源からの光をなるべく多く導光体に入射させるため
、たとえば特許文献１の図３のように入射面の形状を工夫しているが、屈折率の異なる材
質に光が入るときには、屈折率と入射角によって決まる反射率によって反射されてしまう
光があるため、すべての光が導光体に入射するわけではない。反射された光が基板に当た
り、その一部が吸収されてしまうため、照明の効率が悪くなるという問題があった。
【０００５】
また、特許文献２では、特許文献２の図３や図７にあるように、基板上に白色塗装を行
ったり、筐体と一体の反射板を用いて、吸収を減らす技術が記載されているが、吸収をな
くすことはできず、照明の効率が良くない。
【０００６】
本発明は、このような従来技術の技術的課題に鑑みてなされたもので、光源から出た光
を効率よく照明方向へ導く構造を提供することを目的とする。
【課題を解決するための手段】
【０００７】
第１の発明は、基板上に配置された第1のLED光源と、
前記第1のLED光源より射出された光を受光し照明方向へ導く第1の導光体と、
前記第1のLED光源より射出された光で第1の導光体に受光されずに反射された光を前記基
板裏面方向へ通過させる、前記基板に設けられた光通過孔と、
前記光通過孔を通過した光を前記照明方向へ導く第2の導光体と、
を備えたことを特徴とする照明装置である。
【０００８】
第２の発明は、第１の発明において、前記基板の裏面側に第2のLED光源を配置し、
前記光通過孔が前記第2の光源から出た光を前記基板の表面側へ通過させることを特徴と
する照明装置である。
【０００９】
第３の発明は、基板上に配置された第1のLED光源と、
前記第1のLED光源より射出された光を受光し照明方向へ導く第1の導光体と、
前記第1のLED光源より射出された光で第1の導光体に受光されずに反射された光を前記基
板裏面方向へ通過させる、前記基板に設けられた光通過孔と、
前記光通過孔を通過した光を前記第１の導光体の方向に射出する第2の導光体ことを特徴
とする照明装置である。
【発明の効果】
【００１０】
よって、第１の発明によれば、基板に吸収されていた光を第２の導光体に取り込み、照
明に使えるので、照明の効率が良くなるという作用効果がある。
【００１１】
第２の発明によれば、基板の裏面に第2のＬＥＤ光源を配置することで、同じ基板サイ
ズで光量を増すことができるという作用効果がある。
【００１２】
第３の発明によれば、第１の導光体に光を戻すので、照明光を集中することができる。
【図面の簡単な説明】
【００１３】
【図１】実施例１の構成を表す断面図である。
【図２】実施例２の構成を表す断面図である。
【図３】実施例３の構成を表す断面図である。
【図４】基板の形状の例を表す説明図である。
【図５】導光体の形状の例を表す断面図である。
【発明を実施するための形態】
【００１４】
以下、本発明の照明装置の実施の形態を、請求項１に係わる発明に対応する実施例１と
、請求項２に係わる発明に対応する実施例２と、請求項３に係わる発明に対応する実施例
３とに基づいて説明する。
【実施例１】
【００１５】
まず、構成を説明する。
【００１６】
図１は実施例１の構成を表す断面図である。
【００１７】
実施例１の照明装置は、基板１、第１のＬＥＤ光源２Ａ、第１の導光体３Ａ、第２の導
光体３Ｂを備えている。
【００１８】
基板１は、第１のＬＥＤ光源２Ａが実装され、その近傍に光通過孔１１を備えるもので
ある。
【００１９】
第１の導光体３Ａは、基板１の表面側にあり、第1のＬＥＤ光源２Ａからの光を受けて
照明方向へ出射する。
【００２０】
第２の導光体３Ｂは、基板１の裏面側にあり、第1の導光体３Ａの入射面で反射された
光を取り込み、照明方向４へ出射する。
【００２１】
図４は、実施例１に用いる基板１の形状の例を示す説明図である。
【００２２】
基板の上に第1のＬＥＤ光源２Ａを配置し、ＬＥＤ光源の間は、光通過孔１１となるよ
うに、肉盗みをしてある。
【００２３】
作用を説明する。
【００２４】
[光の吸収を抑制する性能の向上作用]
実施例１では、第１のＬＥＤ光源２Ａから射出される光の多くは第１の導光体３Ａの入
射面３ＡＩから入射して、反射面３ＡＦで反射して、出射面３ＡＯより照明方向４へ出射
される。第１の導光体の入射面３ＡＩで反射された光は、従来は基板１に当たり、一部が
吸収されていたが、実施例１では、基板１に設けられた光通過孔１１を通過して、基板１
の裏面側に用意された第２の導光体３Ｂに入射される。その後、反射面３ＢＦで反射して
、出射面３ＢＯより照明方向４へ出射される。
【００２５】
次に、効果を説明する。
【００２６】
実施例１の照明装置にあっては、下記の効果を得ることができる。
【００２７】
(1) 基板１上に配置された第1のLED光源２Ａと、前記第1のLED光源２Ａより射出された光
を受光し照明方向４へ導く第1の導光体３Ａと、前記第1のLED光源２Ａより射出された光
（で第1の導光体に受光されずに反射された光）を前記基板１裏面方向へ通過させる、前
記基板１に設けられた光通過孔１１と、前記光通過孔１１を通過した光を前記照明方向４
へ導く第2の導光体３Ｂとを備えたため、光の吸収を抑制し、照明の効率を向上できる。
【実施例２】
【００２８】
実施例２は、第２のＬＥＤ光源２Ｂを設けた例である。
【００２９】
構成を説明する。
【００３０】
図２は実施例２の構成を表す断面図である。
【００３１】
実施例２は、基板１の裏面側に第２のＬＥＤ光源２Ｂを備える。
【００３２】
図５は、実施例２に用いられる導光体の形状を表す断面図である。
【００３３】
第2のＬＥＤ光源２Ｂの光を取り入れる入射面２ＢＩが設けられている。
【００３４】
作用を説明する。
【００３５】
実施例１で、第１の光源２Ａからの光を第１の導光体３Ａが照明方向４に出射したのと同
様に、第２の光源２Ｂから出た光は、第２の導光体３Ｂに入射し、反射面３ＢＦに反射し
て、出射面３ＢＯより照明方向４へ出射される。
【００３６】
効果を説明する。
【００３７】
実施例２の照明装置にあっては、上記(1)に加えて、以下の効果を有する。
【００３８】
(2)基板１の裏面に第2のＬＥＤ光源２Ｂを配置したため、より光量を増やして照明を行う
ことができる。光通過孔１１を通して、第２のＬＥＤ光源の反射光が基板表面へ通過する
ことにより、光通過孔１１を両方向からの光が通過することで、より有効に利用でき、照
明の効率を向上させる。
【実施例３】
【００３９】
実施例３は、第2の導光体３Ｂの出射方向を、基板１の表面側とした例である。
【００４０】
構成を説明する。
【００４１】
図３は実施例３の構成を表す断面図である。
【００４２】
第2の導光体３Bは、入射光を基板表面方向へ反射する反射面３BFaと反射面３BFbとを備え
る。
【００４３】
作用を説明する。
【００４４】
実施例１と同様に、第１の導光体の入射面３ＡＩで反射された光は、基板１表面に当たっ
て吸収されてしまうことなく、光通過孔１１を通過して、基板１の裏面側に用意された第
２の導光体３Ｂに入射される。吸収を免れた光は、反射面３BFaと反射面３BFbとで反射し
て、第2の導光体３Bの中で方向を変えて、再び、第1の導光体３Aに戻る。
【００４５】
効果を説明する。
【００４６】
実施例３の照明装置においては、以下の効果を有する。
【００４７】
(3)照明光を第1の導光体３Aから出射することができ、照明光を集中することができる。
また、第2の導光体を使う場合と使わない場合で、第1の導光体の形状を変える必要がなく
、設計が容易である。
【符号の説明】
【００４８】
１     基板
１１   光通過孔
２Ａ   第1のＬＥＤ光源
２Ｂ   第2のＬＥＤ光源
３Ａ   第1の導光体
３Ｂ   第2の導光体
４     照明方向
【図１】
2011108434.tif 000003
【図２】
2011108434.tif 000004
【図３】
2011108434.tif 000005
【図４】
2011108434.tif 000006
【図５】
2011108434.tif 000007